(57)【要約】【課題】ベース部を第１読取ユニットと第２読取ユニットとで個別に設計する必要がなく、これにより、開発期間の短縮化及び低コスト化を実現でき、しかも、光学系を第１読取ユニットと第２読取ユニットとで個別に調整する必要がなく、従って、光学系を効率よく調整することが可能な画像読取装置及び画像形成装置を提供する。【解決手段】第１読取ユニット２１０及び第２読取ユニット２２０が装置本体に装着された画像読取装置１００において、第１読取ユニット２１０及び第２読取ユニット２２０は、それぞれ、同一構成のベースユニット４００を備え、ベースユニット４００は、ベースフレーム４１０と、光学系４２０とを有し、ベースフレーム４１０には、光学系４２０を調整するときにベースユニット４００を光学系調整用治具５００に取り付けて固定するための調整用基準固定部位４１１，４１２が設けられている。【選択図】図３
2011254213.tif 000002
【特許請求の範囲】
【請求項１】
原稿に対し光学的に走査することにより、該原稿における両面の画像をそれぞれ読み取る第１読取ユニット及び第２読取ユニットが装置本体に装着された画像読取装置であって、
前記第１読取ユニット及び前記第２読取ユニットは、それぞれ、同一構成のベース部を備え、
前記ベース部は、ベースフレームと、前記ベースフレームに支持された光学系とを有し、
前記ベースフレームには、前記光学系を調整するときに前記ベース部を光学系調整用治具に取り付けて固定するための調整用基準固定部位が設けられていることを特徴とする画像読取装置。
【請求項２】
請求項１に記載の画像読取装置であって、
前記調整用基準固定部位は、前記第２読取ユニットを前記装置本体に装着したときに前記ベース部を取り付けて固定するための装着用基準固定部位を兼ねていることを特徴とする画像読取装置。
【請求項３】
請求項１又は請求項２に記載の画像読取装置であって、
前記光学系は、複数のミラーを含むミラー群と、結像レンズ及び光電変換素子が一体的に連結されたレンズユニットとを有し、
前記ミラー群は、前記原稿からの光を前記結像レンズに導くものであり、前記結像レンズは、前記ミラー群からの光を前記光電変換素子に結像するものであり、前記光電変換素子は、前記結像レンズからの光を画像データとして電気信号に変換するものであり、
前記レンズユニットは、前記ベースフレームに対して前記原稿から前記結像レンズまでの光路長を調整可能に設けられていることを特徴とする画像読取装置。
【請求項４】
請求項１から請求項３までの何れか一つに記載の画像読取装置であって、
前記ベースフレームは、前記第１読取ユニットを副走査方向に往復移動自在に支持する支持部材に摺動される摺動部を取り付け可能とされていることを特徴とする画像読取装置。
【請求項５】
請求項４に記載の画像読取装置であって、
前記ベースフレームは、前記第１読取ユニットを副走査方向に移動させる光学系駆動部の可動部に固定される固定部を取り付け可能とされていることを特徴とする画像読取装置。
【請求項６】
請求項５に記載の画像読取装置であって、
前記摺動部及び前記固定部は、一体とされていることを特徴とする画像読取装置。
【請求項７】
請求項１から請求項６までの何れか一つに記載の画像読取装置であって、
前記ベースフレームは、前記第１読取ユニットを副走査方向に移動自在に支持するレール部材の摺動面を摺動する摺動部材を取り付け可能とされていることを特徴とする画像読取装置。
【請求項８】
請求項１から請求項７までの何れか一つに記載の画像読取装置であって、
前記原稿における片方の面側から光を照射する第１光源と、前記第１光源からの光を前記片方の面側に反射させる第１反射部材と、前記第１光源からの光を前記片方の面及び前記第１反射部材に向けて導く第１導光部材と、前記原稿における前記片方の面とは反対側から光を照射する第２光源と、前記第２光源からの光を前記反対側の面側に反射させる第２反射部材と、前記第２光源からの光を前記反対側の面及び前記第２反射部材に向けて導く第２導光部材とを備え、
前記第１光源及び前記第２光源と、前記第１反射部材及び前記第２反射部材と、前記第１導光部材及び前記第２導光部材とは、それぞれ、同一構成とされていることを特徴とする画像読取装置。
【請求項９】
請求項８に記載の画像読取装置であって、
前記ベースフレームは、前記第１光源、前記第１反射部材及び前記第１導光部材が設けられた第１カバーを取り付け可能とされていることを特徴とする画像読取装置。
【請求項１０】
請求項８又は請求項９に記載の画像読取装置であって、
前記装置本体には、前記第２光源、前記第２反射部材及び前記第２導光部材が設けられていることを特徴とする画像読取装置。
【請求項１１】
請求項８から請求項１０までの何れか一つに記載の画像読取装置であって、
前記ベースフレームは、前記第１光源を駆動する第１光源駆動基板と、前記第２光源を駆動する第２光源駆動基板とを互いに異なる位置で取り付け可能とされており、
前記第１光源駆動基板及び前記第２光源駆動基板は、同一構成とされていることを特徴とする画像読取装置。
【請求項１２】
請求項１から請求項１１までの何れか一つに記載の画像読取装置であって、
前記ベースフレームは、前記第１読取ユニットに接続されるケーブルを案内して保持する保持ガイド部材を取り付ける第１カバーを取り付け可能とされていることを特徴とする画像読取装置。
【請求項１３】
請求項１から請求項１２までの何れか一つに記載の画像読取装置であって、
前記ベースフレームは、前記装置本体に固定される本体固定部材を取り付け可能とされていることを特徴とする画像読取装置。
【請求項１４】
請求項１から請求項１３までの何れか一つに記載の画像読取装置であって、
原稿を移動させて片面の原稿画像を第２読取ユニットで読み取り、かつ、両面の原稿画像を前記第１読取ユニット及び前記第２読取ユニットで読み取る原稿移動読取構成と、原稿を固定させて片面の原稿画像を前記第１読取ユニットで読み取る原稿固定読取構成とを備えていることを特徴とする画像読取装置。
【請求項１５】
請求項１から請求項１４までの何れか一つに記載の画像読取装置を備えていることを特徴とする画像形成装置。
【発明の詳細な説明】
【技術分野】
【０００１】
本発明は、二つの読取ユニットにより原稿に対し光学的に走査することで該原稿における両面の画像を読み取る画像読取装置及びそれを備えた画像形成装置に関する。
【背景技術】
【０００２】
複写機、ファクシミリ装置及びデジタル複合機等の画像形成装置に備えられる画像読取装置や、ネットワーク等の通信手段を介してコンピュータに接続される画像読取装置では、光源によって照明された原稿からの反射光を原稿画像として読み取るようになっている。
【０００３】
画像読取装置として、一般的に、原稿を移動させて原稿画像を読み取る原稿移動読取方式のものや、原稿を固定させて原稿画像を読み取る原稿固定読取方式のものが採用される。
【０００４】
詳しくは、原稿移動読取方式の画像読取装置では、原稿移動読取モードにおいて第１の透明板（例えば原稿読取ガラス）上を通過するように副走査方向に搬送される原稿を読取位置に位置する走査体にて該第１の透明板を介して主走査方向に走査して画像読取部で読み取る。また、原稿固定読取方式の画像読取装置では、原稿固定読取モードにおいて走査体を副走査方向に移動させつつ第２の透明板（例えば原稿台ガラス）上に載置された原稿を読取領域で該第２の透明板を介して主走査方向に走査して画像読取部で読み取る。
【０００５】
従来の画像読取装置として、例えば、原稿を照明する光源と、画像読取部として作用するＣＣＤ（Charge Coupled Device）やＣＩＳ（Contact Image Sensor）等の光電変換素子を含む光学系とを有する読取ユニットを備え、この読取ユニットにて光源により照明された原稿からの反射光を原稿の画像として光学系を介して読み取る構成のものがある。
【０００６】
また、画像読取装置のなかには、原稿における一方の面の画像を読み取る第１読取ユニットと、他方の面の画像を読み取る第２読取ユニットとが装置本体に装着された両面読取方式の画像読取装置もある。
【０００７】
詳しくは、両面読取方式の画像読取装置では、一般的に、一方の面が第１読取ユニットに対向するように、かつ、他方の面が第２読取ユニットに対向するように副走査方向に搬送される原稿の両面のうち、前記一方の面を主走査方向に走査して第１読取ユニットで読み取り、かつ、前記他方の面を主走査方向に走査して第２読取ユニットで読み取るようになっている。
【０００８】
このような両面読取方式の画像読取装置においては、第１読取ユニットと第２読取ユニットとで共通の構成部材を使用して、部材コストの削減を実現することが要求されている。
【０００９】
例えば、特許文献１は、ランプ（光源）と、複数の折り返しミラーと、レンズ（結像レンズ）と、ＣＣＤ等の光電変換手段（読取素子）とから構成された第１読取ユニット（段落［００３４］）と、第１読取ユニット１と同様に、ランプと、複数の折り返しミラーと、レンズ２６と、ＣＣＤ等の光電変換手段とから構成された第２読取ユニット（段落［００３５］）とがケースの中に収められた画像読取装置において、共通の構成部材を使用することで、コストを削減するという観点から、第１読取ユニット及び第２読取ユニットの部材を共用できるようなユニット内の部品構成とすること（段落［００４１］）を開示している。
【先行技術文献】
【特許文献】
【００１０】
【特許文献１】特開２００２−３５４２０１号公報
【発明の概要】
【発明が解決しようとする課題】
【００１１】
しかしながら、特許文献１に記載の画像読取装置では、第１読取ユニット及び第２読取ユニットの構成部材を共用できるようなユニット内の部品構成とし、共通の構成部材を使用することで、コストを削減できるものの、主要な部材（具体的には光学系やフレームを含む部材）で構成されたベース部自身は第１読取ユニットと第２読取ユニットとで異なった構成となっているため、該ベース部を第１読取ユニットと第２読取ユニットとで個別に設計する必要があり、それだけ、開発期間の長期化を招くだけでなく、高コスト化の課題が残る。
【００１２】
しかも、光学系の倍率調整（例えば、原稿からレンズまでの光路長調整）等の調整作業を行う際には、ベース部自身が第１読取ユニットと第２読取ユニットとで異なった構成となっていることから、該光学系を第１読取ユニットと第２読取ユニットとで個別に調整する必要があり、調整作業に多大な手間がかかるという課題もある。
【００１３】
そこで、本発明は、原稿に対し光学的に走査することにより、該原稿における一方の面の画像を読み取る第１読取ユニットと、該原稿における他方の面の画像を読み取る第２読取ユニットとが装置本体に装着された画像読取装置であって、前記第１読取ユニットと前記第２読取ユニットとでベース部を個別に設計する必要がなく、これにより、開発期間の短縮化及び低コスト化を実現でき、しかも、前記第１読取ユニットと前記第２読取ユニットとで光学系を個別に調整する必要がなく、従って、前記光学系を効率よく調整することが可能な画像読取装置及びそれを備えた画像形成装置を提供することを目的とする。
【課題を解決するための手段】
【００１４】
本発明は、前記課題を解決するために、該原稿における両面の画像をそれぞれ読み取る第１読取ユニット及び第２読取ユニットが装置本体に装着された画像読取装置であって、前記第１読取ユニット及び前記第２読取ユニットは、それぞれ、同一構成のベース部を備え、前記ベース部は、ベースフレームと、前記ベースフレームに支持された光学系とを有し、前記ベースフレームには、前記光学系を調整するときに前記ベース部を光学系調整用治具に取り付けて固定するための調整用基準固定部位が設けられていることを特徴とする画像読取装置を提供する。
【００１５】
また、本発明は、前記本発明に係る画像読取装置を備えていることを特徴とする画像形成装置も提供する。
【００１６】
本発明によれば、前記第１読取ユニット及び前記第２読取ユニットは、それぞれ、同一構成の前記ベース部を備えているので、前記ベース部の共通部品化を実現でき、従って、前記ベース部を前記第１読取ユニットと前記第２読取ユニットとで個別に設計する必要がなく、これにより、開発期間の短縮化及び低コスト化を実現することができる。しかも、前記ベースフレームには、前記光学系を調整するときに前記ベース部を前記光学系調整用治具に取り付けて固定するための前記調整用基準固定部位が設けられているので、前記第１読取ユニットと前記第２読取ユニットとで前記光学系調整用治具や前記光学系を調整するための調整手順を共通にすることができ、従って、前記光学系を前記第１読取ユニットと前記第２読取ユニットとで個別に調整する必要がなく、これにより、前記光学系を効率よく調整することが可能となる。
【００１７】
本発明において、前記調整用基準固定部位は、前記第２読取ユニットを前記装置本体に装着したときに前記ベース部を取り付けて固定するための装着用基準固定部位を兼ねている態様を例示できる。
【００１８】
この特定事項では、前記調整用基準固定部位が前記第２読取ユニットを前記装置本体に装着したときに前記ベース部を取り付けて固定するための前記装着用基準固定部位を兼ねているので、前記調整用基準固定部位が前記装着用基準固定部位を兼ねた前記ベース部によって前記原稿を精度よく読み取ることができる。
【００１９】
本発明において、前記光学系は、複数のミラーを含むミラー群と、結像レンズ及び光電変換素子が一体的に連結されたレンズユニットとを有し、前記ミラー群は、前記原稿からの光を前記結像レンズに導くものであり、前記結像レンズは、前記ミラー群からの光を前記光電変換素子に結像するものであり、前記光電変換素子は、前記結像レンズからの光を画像データとして電気信号に変換するものであり、前記レンズユニットは、前記ベースフレームに対して前記原稿から前記結像レンズまでの光路長を調整可能に設けられている態様を例示できる。
【００２０】
この特定事項では、前記原稿から前記結像レンズまでの光路長を前記第１読取ユニットと前記第２読取ユニットとで個別に調整する必要がなく、これにより、前記原稿から前記結像レンズまでの光路長を効率よく調整することが可能となる。
【００２１】
本発明において、前記ベースフレームは、前記第１読取ユニットを副走査方向に往復移動自在に支持する支持部材に摺動される摺動部を取り付け可能とされている態様を例示できる。
【００２２】
この特定事項では、前記ベースフレームが前記摺動部を取り付け可能とされているので、前記摺動部を容易に交換することができる。
【００２３】
本発明において、前記ベースフレームは、前記第１読取ユニットを副走査方向に移動させる光学系駆動部の可動部に固定される固定部を取り付け可能とされている態様を例示できる。
【００２４】
この特定事項では、前記ベースフレームが前記固定部を取り付け可能とされているので、前記固定部を容易に交換することができる。
【００２５】
本発明において、前記摺動部及び前記固定部は、一体とされている態様を例示できる。
【００２６】
この特定事項では、前記摺動部及び前記固定部を同時に着脱することができ、それだけ前記摺動部及び前記固定部の交換作業性を向上させることができる。
【００２７】
本発明において、前記ベースフレームは、前記第１読取ユニットを副走査方向に移動自在に支持するレール部材の摺動面を摺動する摺動部材を取り付け可能とされている態様を例示できる。
【００２８】
この特定事項では、前記ベースフレームが前記摺動部材を取り付け可能とされているので、前記摺動部材を容易に交換することができる。
【００２９】
本発明において、前記原稿における片方の面側から光を照射する第１光源と、前記第１光源からの光を前記片方の面側に反射させる第１反射部材と、前記第１光源からの光を前記片方の面及び前記第１反射部材に向けて導く第１導光部材と、前記原稿における前記片方の面とは反対側から光を照射する第２光源と、前記第２光源からの光を前記反対側の面側に反射させる第２反射部材と、前記第２光源からの光を前記反対側の面及び前記第２反射部材に向けて導く第２導光部材とを備え、前記第１光源及び前記第２光源と、前記第１反射部材及び前記第２反射部材と、前記第１導光部材及び前記第２導光部材とは、それぞれ、同一構成とされている態様を例示できる。
【００３０】
この特定事項では、前記第１光源及び前記第２光源と前記第１反射部材及び前記第２反射部材と前記第１導光部材及び前記第２導光部材とがそれぞれ同一構成とされているので、これら部材の共通部品化を実現でき、それだけ部材コストを低減させることができる。
【００３１】
本発明において、前記ベースフレームは、前記第１光源、前記第１反射部材及び前記第１導光部材が設けられた第１カバーを取り付け可能とされている態様を例示できる。
【００３２】
この特定事項では、前記ベースフレームが取り付け可能とする前記第１カバーに、前記第１光源、前記第１反射部材及び前記第１導光部材が設けられているので、前記第１光源、前記第１反射部材及び前記第１導光部材を容易に組み付けやすくすることができ、これにより、前記第１光源、前記第１反射部材及び前記第１導光部材の組立作業性の容易化を実現することができる。
【００３３】
ところで、前記第２光源、前記第２反射部材及び前記第２導光部材が前記第２読取ユニットに設けられる場合、副走査方向の画像領域を確保するために、通常は、前記第２光源、前記第２反射部材及び前記第２導光部材の副走査方向の長さが前記第２読取ユニットの外側にはみ出る長さとなる。かかる観点から、副走査方向に長くなりやすい、前記第２光源と前記第２反射部材と前記第２導光部材とを前記第２読取ユニットではなく前記装置本体に設けることが好ましい。すなわち、本発明において、前記装置本体には、前記第２光源、前記第２反射部材及び前記第２導光部材が設けられている態様を例示できる。
【００３４】
この特定事項では、前記第２読取ユニットを前記装置本体におけるコンパクト化が要求される空間に設けることができる。
【００３５】
本発明において、前記ベースフレームは、前記第１光源を駆動する第１光源駆動基板と、前記第２光源を駆動する第２光源駆動基板とを互いに異なる位置で取り付け可能とされており、前記第１光源駆動基板及び前記第２光源駆動基板は、同一構成とされている態様を例示できる。
【００３６】
この特定事項では、前記ベースフレームが前記第１光源駆動基板と前記第２光源駆動基板とを互いに異なる位置で取り付け可能とされているので、前記第１読取ユニットに接続されるケーブル及び／又は前記第２読取ユニットに接続されるケーブルに対してそれぞれノイズの影響を与える恐れのある前記第１光源駆動基板及び前記第２光源駆動基板を該ケーブルへのノイズの影響が無い或いは少ない位置に取り付けることができる。しかも、前記第１光源駆動基板及び前記第２光源駆動基板が同一構成とされているので、これら部材の共通部品化を実現でき、それだけ部材コストを低減させることができる。
【００３７】
本発明において、前記ベースフレームは、前記第１読取ユニットに接続されるケーブルを案内して保持する保持ガイド部材を取り付ける第１カバーを取り付け可能とされている態様を例示できる。
【００３８】
この特定事項では、前記ベースフレームが取り付け可能とする前記第１カバーに取り付けられる前記保持ガイド部材が前記第１読取ユニットに接続されるケーブルを案内して保持するので、前記第１読取ユニットに接続されるケーブルを該第１読取ユニットに確実に保持することができる。
【００３９】
本発明において、前記ベースフレームは、前記装置本体に固定される本体固定部材を取り付け可能とされている態様を例示できる。
【００４０】
この特定事項では、前記ベースフレームが前記本体固定部材を取り付け可能とされているので、前記本体固定部材により前記ベース部を前記装置本体に容易に固定することができる。
【００４１】
本発明において、原稿を移動させて片面の原稿画像を第２読取ユニットで読み取り、かつ、両面の原稿画像を前記第１読取ユニット及び前記第２読取ユニットで読み取る原稿移動読取構成と、原稿を固定させて片面の原稿画像を前記第１読取ユニットで読み取る原稿固定読取構成とを備えている態様を例示できる。
【００４２】
この特定事項では、同一構成の前記ベース部を用いて、原稿の両面又は片面の原稿画像を読み取ることができる。
【発明の効果】
【００４３】
以上説明したように、本発明によると、前記第１読取ユニット及び前記第２読取ユニットは、それぞれ、同一構成の前記ベース部を備えているので、前記ベース部の共通部品化を実現でき、従って、前記ベース部を前記第１読取ユニットと前記第２読取ユニットとで個別に設計する必要がなく、これにより、開発期間の短縮化及び低コスト化を実現することができる。しかも、前記ベースフレームには、前記光学系を調整するときに前記ベース部を前記光学系調整用治具に取り付けて固定するための前記調整用基準固定部位が設けられているので、前記第１読取ユニットと前記第２読取ユニットとで前記光学系調整用治具や前記光学系を調整するための調整手順を共通にすることができ、従って、前記光学系を前記第１読取ユニットと前記第２読取ユニットとで個別に調整する必要がなく、これにより、前記光学系を効率よく調整することが可能となる。
【図面の簡単な説明】
【００４４】
【図１】本発明の実施の形態に係る画像読取装置を備えた画像形成装置を概略的に示す断面図である。
【図２】図１に示す画像読取装置を概略的に示す斜視図である。
【図３】図１に示す画像読取装置を概略的に示す断面図である。
【図４】図１に示す画像読取装置において自動原稿送り装置を取り除いた状態を示す斜視図である。
【図５】図４に示す画像読取装置においてさらに第１読取ユニットの第１カバーを取り除いた状態を示す平面図である。
【図６】第１読取ユニット及び第２読取ユニットの双方に備えられる同一構成のベースユニットを概略的に示す断面図である。
【図７】第１読取ユニット及び第２読取ユニットの双方に備えられる同一構成のベースユニットを概略的に示す平面図である。
【図８】第１読取ユニット及び第２読取ユニットの双方に備えられる同一構成のベースユニットを概略的に示す斜視図であって、（ａ）は、ベースフレームの裏面側から視た図であり、（ｂ）は、ベースフレームの表面側から視た図である。
【図９】第１支持板に対して第２支持板を移動させて微調整する調整用ドライバーを説明するための説明図であって、（ａ）は、調整用ドライバーの側面図であり、（ｂ）は、調整用ドライバーの底面図である。
【図１０】ベースユニットにおける光学系に対して原稿から結像レンズまでの光路長を光学系調整用治具によって調整する調整工程を説明するための説明図であって、（ａ）は、光学系調整用治具によって調整されるベースユニットの平面図であり、（ｂ）は、光学系調整用治具によって調整されるベースユニットの断面図である。
【図１１】第２読取ユニットが装置本体のフレームに装着された状態を示す平面図である。
【図１２】第１読取ユニットを概略的に示す図であって、（ａ）は、第１読取ユニットを前方斜め下から視た斜視図であり、（ｂ）は、第１読取ユニットを前方斜め上から視た斜視図であり、（ｃ）は、第１カバーに取り付けられてケーブルを保持する保持ガイド部材の側面図である。
【図１３】第１読取ユニットを概略的に示す断面図である。
【図１４】第２読取ユニットを概略的に示す図であって、（ａ）は、第２読取ユニットを前方斜め上から視た斜視図であり、（ｂ）は、第２読取ユニットを前方斜め下から視た斜視図である。
【図１５】第２読取ユニットを概略的に示す断面図である。
【図１６】本体固定板によって第２読取ユニットが画像読取装置の装置本体に取り付けられている状態を概略的に示す斜視図である。
【図１７】第１読取ユニット及び第２読取ユニットにおいて取り付け部材を対比した対比表である。
【発明を実施するための形態】
【００４５】
以下、本発明に係る実施の形態について図面を参照しながら説明する。なお、以下の実施の形態は、本発明を具体化した例であって、本発明の技術的範囲を限定する性格のものではない。
【００４６】
図１は、本発明の実施の形態に係る画像読取装置１００を備えた画像形成装置Ｄを概略的に示す断面図である。
【００４７】
図１に示す画像形成装置Ｄは、原稿の画像を読み取る画像読取装置１００と、この画像読取装置１００により読み取られた原稿の画像又は外部から受信した画像をカラーもしくは単色で普通紙等の記録シートに記録形成する装置本体Ｄｄとを備えている。
【００４８】
［画像形成装置の全体構成について］
画像形成装置Ｄの装置本体Ｄｄは、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び排紙部として作用する排紙トレイ１５を備えている。
【００４９】
画像形成装置Ｄの装置本体Ｄｄにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、符号ａがブラックに、符号ｂがシアンに、符号ｃがマゼンタに、符号ｄがイエローに対応付けられて、４つの画像ステーションが構成されている。以下、末尾符号ａ〜ｄは省略して説明する。
【００５０】
感光体ドラム３は、装置本体Ｄｄの上下方向のほぼ中央に配置されている。帯電器５は、感光体ドラム３の表面を所定の電位に均一に帯電させるための帯電手段であり、接触型であるローラ型やブラシ型の帯電器のほか、チャージャ型の帯電器が用いられる。
【００５１】
露光装置１は、ここでは、レーザダイオード及び反射ミラーを備えたレーザスキャニングユニット（ＬＳＵ）であり、帯電された感光体ドラム３の表面を画像データに応じて露光して、その表面に画像データに応じた静電潜像を形成する。
【００５２】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３の表面に残留したトナーを除去及び回収する。
【００５３】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３、及び中間転写ベルトクリーニング装置９を備えている。
【００５４】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００５５】
中間転写ローラ６は、中間転写ベルト７の内側に回転可能に支持され、中間転写ベルト７を介して感光体ドラム３に圧接されている。
【００５６】
中間転写ベルト７は、各感光体ドラム３に接触するように設けられており、各感光体ドラム３の表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００５７】
感光体ドラム３から中間転写ベルト７へのトナー像の転写は、中間転写ベルト７の内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、中間転写ベルト７に対して均一に高電圧を印加することができる。
【００５８】
画像形成装置Ｄの装置本体Ｄｄは、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００５９】
上述の様に各感光体ドラム３の表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００６０】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００６１】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外部から従動ローラ２２に向けて押圧するように中間転写ベルト７に接触している。
【００６２】
給紙トレイ１０は、記録シートを格納しておくためのトレイであり、装置本体Ｄｄの画像形成部の下側に設けられている。また、画像形成部の上側に設けられている排紙トレイ１５は、印刷済みの記録シートをフェイスダウンで載置するためのトレイである。
【００６３】
また、装置本体Ｄｄには、給紙トレイ１０の記録シートを２次転写装置１１や定着装置１２を経由させて排紙トレイ１５に送るためのシート搬送装置５０が設けられている。このシート搬送装置５０は、Ｓの字形状のシート搬送路Ｓを有し、シート搬送路Ｓに沿って、ピックアップローラ１６、サバキローラ１４ａ、分離ローラ１４ｂ、各搬送ローラ１３、レジスト前ローラ対１９、レジストローラ対１０６、定着装置１２、及び排紙ローラ１７等の搬送部材が配置されている。
【００６４】
ピックアップローラ１６は、給紙トレイ１０のシート搬送方向下流側端部に設けられ、給紙トレイ１０から記録シートを１枚ずつシート搬送路Ｓに供給する呼び込みローラである。サバキローラ１４ａは、分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【００６５】
レジストローラ１０６は、レジスト前ローラ１９にて搬送されてきた記録シートを一旦停止させて、記録シートの先端を揃え、中間転写ベルト７と２次転写装置１１との間のニップ域で中間転写ベルト７上のカラートナー像が記録シートに転写されるように、感光体ドラム３及び中間転写ベルト７の回転にあわせて、記録シートをタイミングよく搬送する。
【００６６】
例えば、レジストローラ１０６は、中間転写ベルト７と２次転写装置１１との間のニップ域で中間転写ベルト７上のカラートナー像の先端が記録シートにおける画像形成範囲の先端に合うように、記録シートを搬送する。
【００６７】
定着装置１２は、ヒートローラ３１及び加圧ローラ３２を備えている。ヒートローラ３１及び加圧ローラ３２は、記録シートを挟み込んで搬送する。
【００６８】
ヒートローラ３１は、所定の定着温度となるように温度制御され、加圧ローラ３２と共に記録シートを熱圧着することにより、記録シートに転写されたトナー像を溶融、混合、圧接し、記録シートに対して熱定着させる機能を有している。また、定着装置１２には、ヒートローラ３１を外部から加熱するための外部加熱ベルト３３が設けられている。
【００６９】
各色のトナー像の定着後での記録シートは、排紙ローラ１７によって排紙トレイ１５上に排出される。
【００７０】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【００７１】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【００７２】
［画像読取装置の全体構成について］
本実施の形態に係る画像読取装置１００は、原稿移動読取モードを実行する原稿移動読取構成（原稿移動読取機能）と原稿固定読取モードを実行する原稿固定読取構成（原稿固定読取機能）とを備えている。
【００７３】
図２及び図３は、それぞれ、図１に示す画像読取装置１００を概略的に示す斜視図及び断面図である。図４は、図１に示す画像読取装置１００において自動原稿送り装置３００を取り除いた状態を示す斜視図である。また、図５は、図４に示す画像読取装置１００においてさらに第１読取ユニット２１０の第１カバー２１１（図３、図１２及び図１３参照）を取り除いた状態を示す平面図である。
【００７４】
原稿移動読取構成では、自動原稿送り装置３００で原稿読取ガラス（第１の透明板の一例）２０６上を通過するように副走査方向（図中矢印Ｙ方向）の一方側Ｙ１（搬送方向Ｙ３）に搬送される原稿Ｇに対して片面読み取りでは第２読取ユニット２２０にて、また両面読み取りでは第２読取ユニット２２０及び読取位置（ここでは初期位置）に位置する第１読取ユニット２１０にて原稿読取ガラス２０６を介して主走査方向（図中矢印Ｘ方向）に走査してＣＣＤ（Charge Coupled Device）等の縮小型光電変換素子（ここではＣＣＤ２０５）で原稿画像を読み取る。また、原稿固定読取構成では、光学系駆動部５３０（図４及び図５参照）で第１読取ユニット２１０を副走査方向Ｙの他方側Ｙ２に移動させつつ原稿台ガラス（第２の透明板の一例）２０７を介して原稿台ガラス２０７上に載置された原稿Ｇに対して主走査方向Ｘに走査してＣＣＤ２０５で原稿画像を読み取る。
【００７５】
詳しくは、画像読取装置１００は、第１読取ユニット２１０を有する移動原稿読取部２００と、第２読取ユニット２２０を有する自動原稿送り装置３００とを備えている。
【００７６】
移動原稿読取部２００は、原稿読取ガラス２０６と、原稿台ガラス２０７と、ＣＣＤ２０５を有する第１読取ユニット２１０と、第１読取ユニット２１０を移動させる光学系駆動部５３０とを備えており、これらの部材は枠体２０２内に収容されている。
【００７７】
原稿読取ガラス２０６は、主走査方向Ｘに延びる透明なガラス板からなり、枠体２０２の副走査方向Ｙにおける一方側Ｙ１の端部において搬送経路３０３を間にして上下に設けられた一対のものとされている。原稿台ガラス２０７は、原稿Ｇの最大サイズよりも大きめの透明なガラス板からなり、周縁部が枠体２０２の上面に支持されている。
【００７８】
図５に示すように、光学系駆動部５３０は、ここでは、駆動モータ５３１、駆動プーリ５３２、駆動伝達機構５３３、従動プーリ５３４及び光学ベルト５３５（可動部の一例）を備えており、これらの部材によって、第１読取ユニット２１０を副走査方向Ｙに往復移動できるように構成されている。
【００７９】
詳しくは、駆動モータ５３１は、ステッピングモータとされており、回転軸５３１ａが主走査方向Ｘ及び副走査方向Ｙに直交する読取高さ方向（原稿Ｇの厚み方向、図中矢印Ｚ方向）に沿うように枠体２０２の副走査方向Ｙの一方側Ｙ１に固定されて支持されている。駆動モータ５３１は、制御部として作用する制御基板１１０（後述する図１４（ａ）参照）の指示信号に基づき、回転タイミング及び回転速度が制御されるようになっている。
【００８０】
駆動プーリ５３２は、枠体２０２の底面２０２ａにおける駆動モータ５３１の近傍に読取高さ方向Ｚに沿って固定されて支持された回転軸５３２ａに回転自在に支持されている。
【００８１】
駆動伝達機構５３３は、複数の（ここでは第１から第３）ギヤ５３３ａ〜５３３ｃを含むギヤ列とされている。第１ギヤ５３３ａは、駆動モータ５３１の回転軸５３１ａに相対回転不能に（固定されて）支持されている。第２ギヤ５３３ｂは、回転軸５３２ａに対しては回転自在に、かつ、駆動プーリ５３２に対しては相対回転不能に（固定されて）支持されている。第３ギヤ５３３ｃは、枠体２０２の底面２０２ａにおける駆動モータ５３１の近傍に読取高さ方向Ｚに沿って固定されて支持された回転軸５３３ｄに回転自在に支持され、かつ、第１ギヤ５３３ａ及び第２ギヤ５３３ｂに噛合している。
【００８２】
従動プーリ５３４は、読取高さ方向Ｚに沿うように枠体２０２の副走査方向Ｙの他方側Ｙ２に固定されて支持された支持軸５３４ａに回転自在に支持されている。
【００８３】
光学ベルト５３５は、駆動プーリ５３２及び従動プーリ５３４に巻き掛けられており、駆動プーリ５３２の回転に伴って従動プーリ５３４が従動回転しつつ駆動プーリ５３２及び従動プーリ５３４の回りを周回移動するようになっている。
【００８４】
そして、光学ベルト５３５は、制御基板１１０にて指示された駆動モータ５３１によって駆動プーリ５３２及び従動プーリ５３４を介して半周分程度周回移動する。第１読取ユニット２１０は後述するベルト固定部２２７ｄ（図１２（ａ）参照）で光学ベルト５３５に固定されている。
【００８５】
かかる構成を備えた光学系駆動部５３０では、スキャナモータ５３１の回転軸５３１ａが正回転すると、光学ベルト５３５が駆動プーリ５３２及び従動プーリ５３４の回りを副走査方向Ｙの他方側Ｙ２に周回移動する。これにより、第１読取ユニット２１０を他方側Ｙ２に移動させることができる。一方、スキャナモータ５３１の回転軸５３１ａが逆回転すると、光学ベルト５３５が駆動プーリ５３２及び従動プーリ５３４の回りを副走査方向Ｙの一方側Ｙ１に周回移動する。これにより、第１読取ユニット２１０を副走査方向Ｙに往復移動させることができる。
【００８６】
また、画像読取装置１００は、第１読取ユニット２１０の後述するシャフト摺動部５４１ａ，５４１ｂを副走査方向Ｙに往復移動自在に支持する支持部材として作用するスライドシャフト５４０を備えている。
【００８７】
スライドシャフト５４０は、ここでは、副走査方向Ｙに延びた円柱状のものとされており、副走査方向Ｙの両端が枠体２０２に支持されている。
【００８８】
図３に示すように、自動原稿送り装置３００は、原稿Ｇを搬送するために載置する原稿トレイ３０１と、この原稿トレイ３０１よりも副走査方向Ｙの斜め上方に配置された排出トレイ３０２と、これらの間を接続する搬送経路３０３と、上流側搬送ローラ対３０４ａ，３０４ｂ及び下流側搬送ローラ対３０５ａ，３０５ｂとからなる２つの搬送ローラ対とを備えている。
【００８９】
搬送経路３０３は、原稿Ｇがその表裏を反転させながら案内するようにＵ字状に形成されている。本実施の形態では、原稿トレイ３０１にフェイスアップで載置された原稿Ｇは、Ｕ字状の搬送経路３０３を通って排出トレイ３０２にフェイスダウンで排出されるようになっている。
【００９０】
上流側搬送ローラ対３０４ａ，３０４ｂは、一方のローラ３０４ａが駆動ローラとされ、他方のローラ３０４ｂが従動ローラとされている。同様に、下流側搬送ローラ対３０５ａ，３０５ｂも、一方のローラ３０５ａが駆動ローラとされ、他方のローラ３０５ｂが従動ローラとされている。
【００９１】
上流側搬送ローラ対３０４ａ，３０４ｂは、原稿Ｇの搬送方向Ｙ３において原稿読取ガラス２０６，２０６を基準にして原稿Ｇを上流側で搬送する。下流側搬送ローラ対３０５ａ，３０５ｂは、原稿Ｇの搬送方向Ｙ３において原稿読取ガラス２０６，２０６を基準にして原稿Ｇを下流側で搬送する。すなわち、上流側搬送ローラ対３０４ａ，３０４ｂ及び下流側搬送ローラ対３０５ａ，３０５ｂは、原稿読取ガラス２０６，２０６を間にして配設されている。そして、原稿読取ガラス２０６，２０６は、搬送経路３０３の搬送壁を画するように設けられている。
【００９２】
自動原稿送り装置３００は、さらに、ピックアップローラ３０６と、サバキローラ３０７と、分離ローラ等の分離部材３０８と、レジストローラ対３０９と、排出ローラ対３１０とを備えている。
【００９３】
ピックアップローラ３０６は、原稿トレイ３０１上に載置された原稿Ｇを原稿トレイ３０１から搬送方向Ｙ３に沿って搬送経路３０３内へ送り出すようになっている。
【００９４】
サバキローラ３０７は、ピックアップローラ３０６より搬送方向Ｙ３の下流側の搬送経路３０３上に配置されており、ピックアップローラ３０６にて送られてきた原稿Ｇを分離部材３０８と共に挟持しつつさらに搬送方向Ｙ３の下流側へ搬送するようになっている。分離部材３０８は、サバキローラ３０７に対峙された状態でサバキローラ３０７との間に搬送される原稿Ｇが１枚になるように原稿Ｇを捌く（分離する）ようになっている。これにより、自動原稿送り装置３００は、原稿Ｇをピックアップローラ３０６にてサバキローラ３０７と分離部材３０８との間に搬送し、ここで原稿Ｇを捌いて分離すると共にサバキローラ３０７が回転駆動されることによって１枚ずつ搬送することができる。さらに、自動原稿送り装置３００は、サバキローラ３０７にて搬送される原稿Ｇを搬送経路３０３にて案内してレジストローラ対３０９に向けて１枚ずつ供給することができる。
【００９５】
レジストローラ対３０９は、サバキローラ３０７及び分離部材３０８と上流側搬送ローラ対３０４ａ，３０４ｂとの間の搬送経路３０３上に配置されており、サバキローラ３０７及び分離部材３０８にて搬送されてきた原稿Ｇを一旦停止させて、原稿Ｇの先端を揃え、ＣＣＤ２０５の読み取りタイミングに合わせて、原稿Ｇをタイミングよく搬送するようになっている。
【００９６】
上流側搬送ローラ対３０４ａ，３０４ｂは、レジストローラ対３０９からの原稿Ｇを原稿読取ガラス２０６，２０６上に送り出して下流側搬送ローラ対３０５ａ，３０５ｂへ搬送するようになっている。下流側搬送ローラ対３０５ａ，３０５ｂは、原稿読取ガラス２０６，２０６からの原稿Ｇを排出ローラ対３１０へ搬送するようになっている。
【００９７】
排出ローラ対３１０は、下流側搬送ローラ対３０５ａ，３０５ｂからの原稿Ｇを排出トレイ３０２に排出するようになっている。ここでは、排出ローラ対３１０は、搬送経路３０３に沿って複数対（具体的には二対）設けられている。
【００９８】
なお、自動原稿送り装置３００は、副走査方向Ｙに沿った軸線回りに（例えばヒンジによって軸支され）移動原稿読取部２００に対して開閉可能となっており、その下面には、移動原稿読取部２００の原稿台ガラス２０７上に載置された原稿Ｇを上から押さえる原稿押さえ部材３１９が設けられている。
【００９９】
本実施の形態では、原稿読取ガラス２０６，２０６における読取位置での読み取り前後に搬送経路３０３の一部を構成する直線状の搬送路３０３ａ，３０３ｂが形成されている。こうすることで、原稿移動読取構成において原稿Ｇとして基準となる原稿よりも剛性のある名刺やカードなどの特殊原稿を確実に搬送することができ、これにより特殊原稿の搬送性を向上させることができる。なお、本実施の形態においては、特殊原稿読取モードを有しており、特殊原稿が読み取られる場合には、原稿移動読取モードにおいて、特殊原稿読取モードが、図示しない表示部に表示される設定画面や、図示しない操作部に設けられたモードキーへの選択操作によって実行されるようになっている。
【０１００】
自動原稿送り装置３００は、前記の構成に加えて、特殊原稿用排出搬送経路３１１、特殊原稿用排出ローラ対３１２及び特殊原稿用排出トレイ３１３及び切換部材３１４を備えている。
【０１０１】
特殊原稿用排出搬送経路３１１は、特殊原稿読取モードにおいて、下流側搬送ローラ対３０５ａ，３０５ｂから搬送されてくる原稿Ｇを特殊原稿用排出ローラ対３１２へ案内するものである。特殊原稿用排出ローラ対３１２は、特殊原稿用排出搬送経路３１１からの原稿Ｇを特殊原稿用排出トレイ３１３に排出するものである。そして、特殊原稿用排出トレイ３１３は、特殊原稿用排出ローラ対３１２にて排出される原稿Ｇを積載する。また、切換部材３１４は、制御基板１１０からの指示信号に基づき、原稿移動読取モードの通常モードにおいて基準となる原稿Ｇを下流側搬送ローラ対３０５ａ，３０５ｂから排出ローラ対３１０へ導く第１切換状態（図３中鎖線参照）と、原稿移動読取モードの特殊原稿読取モードにおいて特殊原稿Ｇを下流側搬送ローラ対３０５ａ，３０５ｂから特殊原稿用排出ローラ対３１２へ導く第２切換状態（図３中実線参照）とをとり得るように構成されている。
【０１０２】
なお、上流側搬送ローラ対３０４ａ，３０４ｂ、下流側搬送ローラ対３０５ａ，３０５ｂ、排出ローラ対３１０等の搬送系ローラは、図示しない搬送系の駆動部にて駆動されるようになっている。
【０１０３】
第１読取ユニット２１０は、縮小光学系タイプのベース部として作用するベースユニット４００を有しており、ベースユニット４００内に、複数の（ここでは第１から第４）ミラー２２２〜２２５（ミラー群の一例）と、結像レンズ２２６とが設けられている。
【０１０４】
第１ミラー２２２は、原稿Ｇからの反射光を第２ミラー２２３へ導くようになっている。第２及び第３ミラー２２３，２２４は、それぞれ、第１及び第２ミラー２２２，２２３からの反射光を第３及び第４ミラー２２４，２２５に導くようになっている。第４ミラー２２５は、第３ミラー２２４からの反射光を結像レンズ２２６に導くようになっている。結像レンズ２２６は、第４ミラー２２５からの光をＣＣＤ２０５の受光面に結像するようになっている。そして、ＣＣＤ２０５は、結像レンズ２２６からの光（原稿画像光）を受光面で受光して１ライン毎に繰り返し主走査方向Ｘに走査し、画像データとして電気信号に変換する。
【０１０５】
画像読取装置１００は、さらに、原稿移動読取モードにおいて、第２読取ユニット２２０で一方の面（表面）を読み取り可能とされている。
【０１０６】
詳しくは、画像読取装置１００は、前記の構成に加えて、第２読取ユニット２２０を備えている。第２読取ユニット２２０は、読取位置が第１読取ユニット２１０の読取位置よりも搬送方向Ｙ３の上流側に位置しており、自動原稿送り装置３００内に固定されて支持されている。第２読取ユニット２２０は、第１読取ユニット２１０と同じ構成のベースユニット４００を有しており、同じ構成要素には同一符号を付し、その説明を省略する。
【０１０７】
以上説明した画像読取装置１００では、原稿トレイ３０１に原稿Ｇが載置されていない場合に原稿固定読取モードによって原稿台ガラス２０７に載置された原稿Ｇの読み取り指示がなされる。そうすると、第１読取ユニット２１０は、原稿台ガラス２０７を介して原稿台ガラス２０７に載置された原稿Ｇに対して光を照射しながら一定の速度で副走査方向Ｙの他方側Ｙ２に移動して原稿Ｇの画像を読み取る。
【０１０８】
具体的には、光学系駆動部５３０にて第１読取ユニット２１０が初期位置の読取位置から副走査方向Ｙの他方側Ｙ２に移動する。そして、第１読取ユニット２１０にて照明されて原稿Ｇから反射された反射光は、第１から第４ミラー２２２〜２２５で反射されたのち、結像レンズ２２６を介してＣＣＤ２０５の受光面に結像され、ここで原稿画像光が読み取られてアナログ信号に変換される。
【０１０９】
一方、原稿トレイ３０１に原稿Ｇが載置されている場合には原稿移動読取モードによって原稿トレイ３０１に載置された原稿Ｇの読み取り指示がなされる。そうすると、通常モードでは切換部材３１４が第１切換状態にされ、自動原稿送り装置３００によって原稿Ｇを読取位置へ向けて副走査方向Ｙの一方側Ｙ１（搬送方向Ｙ３）に搬送して原稿Ｇの画像を第２読取ユニット２２０にて読み取る。
【０１１０】
具体的には、原稿トレイ３０１に載置された原稿Ｇは、ピックアップローラ３０６によって取り出され、サバキローラ３０７及び分離部材３０８によって１枚ずつに分離され、搬送経路３０３に搬送される。搬送経路３０３に搬送された原稿Ｇは、レジストローラ対３０９によって、斜行防止のために先端が揃えられると共に、規定の読み取りタイミングで送り出され、上流側搬送ローラ対３０４ａ，３０４ｂを経て原稿読取ガラス２０６へと搬送される。そして、原稿読取ガラス２０６上を通過した原稿Ｇの一方の面（表面）に、第２読取ユニット２２０からの光が原稿読取ガラス２０６を介して照射されて該一方の面で反射される。この原稿Ｇの一方の面から反射された光は、前述の原稿固定読取モードと同様に、第１から第４ミラー２２２〜２２５によって反射された後、結像レンズ２２６を介してＣＣＤ２０５の受光面に結像され、ここで原稿画像が読み取られてアナログ信号に変換される。
【０１１１】
読み取りが終了した原稿Ｇは、下流側搬送ローラ対３０５ａ，３０５ｂによって読取ガラス２０６上から引き出され、搬送経路３０３を経て排出ローラ対３１０によって排出トレイ３０２上に排出される。
【０１１２】
なお、原稿Ｇの一方の面と他方の面との両面を読み取る場合には、第２読取ユニット２２０と共に読取位置に静止させた第１読取ユニット２１０を用いるが、この読み取り動作については前述した第２読取ユニット２２０と同様であり、ここでは説明を省略する。
【０１１３】
また、原稿移動読取モードの特殊原稿読取モードによる原稿Ｇの読み取り指示がなされる場合には、切換部材３１４が第２切換状態にされ、前記と同様にして読み取りが終了した原稿Ｇは、下流側搬送ローラ対３０５ａ，３０５ｂによって読取ガラス２０６上から引き出され、特殊原稿用排出搬送経路３１１を経て特殊原稿用排出ローラ対３１２によって特殊原稿用排出トレイ３１３上に排出される。
【０１１４】
［ベースユニットについて］
図６、図７及び図８は、それぞれ、第１読取ユニット２１０及び第２読取ユニット２２０の双方に備えられる同一構成のベースユニット４００を概略的に示す断面図、平面図及び斜視図である。図８（ａ）は、ベースフレーム４１０の裏面側から視た図を示しており、図８（ｂ）は、ベースフレーム４１０の表面側から視た図を示している。
【０１１５】
図６から図８に示すように、ベースユニット４００は、ベースフレーム４１０と、ベースフレーム４１０に支持された光学系４２０とを有している。光学系４２０は、第１から第４ミラー２２２〜２２５と、結像レンズ２２６及びＣＣＤ２０５を連結したレンズユニット２２８とを有している。
【０１１６】
そして、ベースフレーム４１０の主走査方向Ｘの両外側面には、光学系４２０を調整するときにベースユニット４１０を後述する光学系調整用治具５００（図１０参照）に取り付けて固定するための一対の調整用基準固定部位４１１，４１２（図５、図７及び図８参照）がそれぞれ突設されている。
【０１１７】
具体的には、ベースフレーム４１０は、一方向が開放した箱形状のものとされており、光学系４２０の各構成要素を支持するように形成されている。光学系４２０は、第１から第４ミラー２２２〜２２５と、結像レンズ２２６と、ＣＣＤ２０５を搭載したＣＣＤ基板２２７とを備えている。レンズユニット２２８は、ＣＣＤ基板２２７と結像レンズ２２６とで構成されており、ＣＣＤ基板２２７と結像レンズ２２６とがＣＣＤ基板２２７に搭載されたＣＣＤ２０５に対する結像レンズ２２６の焦点距離が合うように連結されている。
【０１１８】
ベースフレーム４１０の主走査方向Ｘの両側面には、第１から第４ミラー２２２〜２２５を支持するための第１から第４支持部４１３ａ〜４１６ａが設けられている。第１から第４支持部４１３ａ〜４１６ａには、主走査方向Ｘに貫通する貫通孔が設けられており、この貫通孔に第１から第４ミラー２２２〜２２５が挿通されて主走査方向Ｘの両端部が板バネ４１３ｂ〜４１６ｂによって保持されている。なお、第１から第４ミラー２２２〜２２５は、光路上においてレンズユニット２２８側に近づくにつれて小さくなる主走査方向Ｘの光路幅に応じて、主走査方向Ｘの幅が小さくなっている。
【０１１９】
また、レンズユニット２２８は、ベースフレーム４１０に対して光路長Ｌを調整可能に設けられている。詳しくは、主走査方向Ｘの両端部におけるベースフレーム４１０の副走査方向Ｙにおける一方の側面の主走査方向Ｘにおける中央部にレンズユニット２２８が挿通されて原稿Ｇから結像レンズ２２６までの光路長Ｌ（図１０（ｂ）参照）を調整可能にベースフレーム４１０の底面４１０ａに支持されている。
【０１２０】
レンズユニット２２８は、ベースフレーム４１０の底面４１０ａに沿って副走査方向Ｙに移動可能に設けられた第１支持板２２９ａと、ＣＣＤ基板２２７及び結像レンズ２２６を主走査方向の中央部で支持し、かつ、第１支持板２２９ａに沿って副走査方向Ｙに移動可能に設けられた第２支持板２２９ｂをさらに備えている。
【０１２１】
第１支持板２２９ａには、光路長Ｌを粗調整するために副走査方向Ｙに長くなった一対の粗調整用長孔２２８ａ，２２８ａが主走査方向Ｘに間隔をあけて設けられている。ベースフレーム４１０の底面４１０ａには、一対の第１固定部材（ここでは第１固定ビスＢ１，Ｂ１）を固定する第１固定部（ここでは第１固定ビスの雌孔）がそれぞれ設けられている。そして、第１支持板２２９ａは、一対の粗調整用長孔２２８ａ，２２８ａに挿入された一対の第１固定ビスＢ１，Ｂ１によって調整可能にベースフレーム４１０の底面４１０ａにそれぞれ固定されている。なお、ベースフレーム４１０の底面４１０ａには、目盛り部Ｍ１が設けられている。第１支持板２２９ａには、目盛り部Ｍ１を指すマーカー部Ｍ２が設けられている。
【０１２２】
第２支持板２２９ｂには、ＣＣＤ基板２２７及び結像レンズ２２６が固定されて支持されており、光路長Ｌを微調整するために若干の調整代を有する一対の微調整用孔２２８ｂ，２２８ｂが主走査方向Ｘに一対の第１調整孔２２８ａ，２２８ａの間隔よりも広い間隔をあけて設けられている。第１支持板２２９ａには、一対の第２固定部材（ここでは第２固定ビスＢ２，Ｂ２）を固定する第２固定部（ここでは第２固定ビスの雌孔）がそれぞれ設けられている。そして、第２支持板２２９ｂは、一対の微調整用孔２２８ｂ，２２８ｂに挿入された一対の第２固定ビスＢ２，Ｂ２によって調整可能に第２支持板２２９ｂにそれぞれ固定されている。
【０１２３】
また、第１支持板２２９ａ及び第２支持板２２９ｂには、調整用ドライバー６００（図９参照）によって微調整される一対の微調整部２３０，２３０が設けられている。一対の微調整部２３０，２３０は、第１支持板２２９ａの主走査方向Ｘに間隔をおいて設けられた一対の支点穴２３１，２３１と、第２支持板２２９ｂに一対の支点穴２３１，２３１に対応してそれぞれ設けられた一対の貫通孔２３２，２３２とを有している。
【０１２４】
一対の支点穴２３１，２３１は、読取高さ方向Ｚに沿って深くなっており、一対の貫通孔２３２，２３２は、第２支持板２２９ｂに主走査方向Ｘに長くなった長穴状に形成されている。そして、一対の支点穴２３１，２３１は、それぞれ、一対の貫通孔２３２，２３２内において主走査方向Ｘの中心から結像レンズ２２６寄りに設けられている。
【０１２５】
図９は、第１支持板２２９ａに対して第２支持板２２９ｂを移動させて微調整する調整用ドライバー６００を説明するための説明図である。図９（ａ）は、調整用ドライバー６００の側面図を示しており、図９（ｂ）は、調整用ドライバー６００の底面図を示している。
【０１２６】
図９に示す調整用ドライバー６００は、作業者によって把持される把持部６０１と、把持部６０１に支持されたシャフト部６０２と、シャフト部６０２の先端に設けられた調整部６０３とを備えている。調整部６０３は、第１支持板２２９ａの支点穴２３１に挿通される支点ピン６０３ａと、先端に支点ピン６０３ａが設けられた旋回部６０３ｂとを有している。旋回部６０３ｂは、底面から視た外周形状が第２支持板２２９ｂの貫通孔２３２と同形状とされ、かつ、先端に設けられた支点ピン６０３ａの径が支点穴２３１と同径とされている。そして、調整用ドライバー６００は、支点ピン６０３ａが支点穴２３１に挿通されると共に旋回部６０３ｂが貫通孔２３２に挿通された状態で作業者によって把持部６０１が回されることで、貫通孔２３２に挿通された旋回部６０３ｂが支点穴２３１回りに旋回し、これにより、第１支持板２２９ａに対して第２支持板２２９ｂを移動させて微調整できるようになっている。
【０１２７】
図１０は、ベースユニット４００における光学系４２０に対して原稿Ｇから結像レンズ２２６までの光路長Ｌを光学系調整用治具５００によって調整する調整工程を説明するための説明図である。図１０（ａ）は、光学系調整用治具５００によって調整されるベースユニット４００の平面図を示しており、図１０（ｂ）は、光学系調整用治具５００によって調整されるベースユニット４００の断面図を示している。なお、図１０（ａ）において原稿載置台５７０及び原稿Ｇ等は図示を省略している。
【０１２８】
図１０に示すように、光学系調整用治具５００は、ベースユニット４００を載置するユニット載置台５１０と、ユニット載置台５１０においてベースユニット４００を位置決め固定する位置決め部５２０と、位置決め部５２０に位置決め固定されるベースユニット４００に対向して配置された原稿載置台５７０とを備えている。
【０１２９】
一対の調整用基準固定部位４１１，４１２には、位置決め基準穴（ここでは主走査方向Ｘに沿って深くなった穴）４１１ａ，４１２ａがそれぞれ設けられている。
【０１３０】
ユニット載置台５１０は、作業台５１１と、作業台５１１においてベースユニット４００を載置する載置部５１２とを有している。載置部５１２は、ベースフレーム４１０の後述する第１光源駆動基板２５６ａの第１取り付け部４０１を載置する載置面５１２ａを有している。
【０１３１】
位置決め部５２０は、作業台５１１に対して、ベースユニット４００に設けられた一対の調整用基準固定部位４１１，４１２の主走査方向Ｘにおける端部間の距離Ｄをおいて配設された一対の調整用側板５２１，５２２と、一対の調整用側板５２１，５２２に取り付けられる一対の調整用ボス５２３，５２４とを有している。そして、一対の調整用側板５２１，５２２には、光路長Ｌを規定する貫通孔（ここでは円形状で位置決め基準穴４１１ａ，４１２ａと同径の孔）５２１ａ，５２２ａがそれぞれ設けられている。一対の調整用ボス５２３，５２４は、貫通孔５２１ａ，５２２ａ及び位置決め基準穴４１１ａ，４１２ａに挿通される挿通部（ここでは円柱状で貫通孔５２１ａ，５２２ａ及び位置決め基準穴４１１ａ，４１２ａと同径の挿通部）５２３ａ，５２４ａをそれぞれ有している。挿通部５２３ａ，５２４ａの先端は、円錐状に先細り形状となっている。
【０１３２】
原稿載置台５７０は、支持部５７１によって原稿Ｇを読み取る位置（光路長Ｌの基準となる位置）に支持されている。
【０１３３】
図１０に示す調整工程では、光路長Ｌを調整するにあたり、先ず、ベースフレーム４１０の第１取り付け部４０１を載置部５１２の載置面５１２ａに載置して、一対の調整用側板５２１，５２２間にベースユニット４００を配置する。この状態で、一対の調整用側板５２１，５２２の貫通孔５２１ａ，５２２ａと、一対の調整用基準固定部位４１１，４１２の位置決め基準穴４１１ａ，４１２ａとがそれぞれ略揃うように副走査方向Ｙにおける載置部５１２とは反対側を読取高さ方向Ｚに移動させ、貫通孔５２１ａ，５２２ａを介して一対の調整用ボス５２３，５２４の挿通部５２３ａ，５２４ａを外側から位置決め基準穴位置決め基準穴４１１ａ，４１２ａに挿通する。
【０１３４】
次に、第１固定ビスＢ１，Ｂ１を緩めた状態にして、ベースフレーム４１０の底面４１０ａに対して第１支持板２２９ａを相対移動できるようにし、また、第２固定ビスＢ２，Ｂ２を緩めた状態にして、第１支持板２２９ａに対して第２支持板２２９ｂを相対移動できるようにする。そして、調整用チャートの原稿Ｇを原稿載置台５７０に載置して、ＣＣＤ２０５の出力画像をモニタリングしながら、第１支持板２２９ａを移動させて粗調整（倍率調整）し、第１固定ビスＢ１，Ｂ１を本締めして第１支持板２２９ａに対して第２支持板２２９ｂを固定する。
【０１３５】
次に、ＣＣＤ２０５の出力画像をモニタリングしながら、調整用ドライバー６００（図９参照）を用いて第１支持板２２９ａに対して一対の第２固定ビスＢ２，Ｂ２のうち何れか一方の仮締め状態の第２固定ビスＢ２の支点回りに他方の第２固定ビス側の第２支持板２２９ｂを移動させて微調整し、その後、両方の第２固定ビスＢ２，Ｂ２を本締めして第１支持板２２９ａに対して第２支持板２２９ｂを固定し、光路長Ｌの調整を完了する。そして、第１固定ビスＢ１，Ｂ１及び第２固定ビスＢ２，Ｂ２に対して樹脂等の固定材料を塗布して緩みを防止（所謂ペイントロック）する。なお、この調整は、後述するベースユニット４００に第１カバー２１１（図３、図１２及び図１３参照）又は第２カバー２２１（図３、図１４及び図１５参照）を取り付けた状態で行ってもよい。
【０１３６】
本実施の形態において、一対の調整用基準固定部位４１１，４１２は、第２読取ユニット２２０を装置本体１００ａのフレームＦ（図３及び図１１参照）に装着したときにベースユニット４００を取り付けて固定するための装着用基準固定部位を兼ねている。
【０１３７】
図１１は、第２読取ユニット２２０が装置本体１００ａのフレームＦに装着された状態を示す平面図である。なお、図１１では第２カバー２２１を取り外した状態を示している。
【０１３８】
図１１に示すように、自動原稿送り装置３００は、第２ユニット４２０におけるベースユニット４００に設けられた一対の調整用基準固定部位（ここでは装着用基準固定部位）４１１，４１２の主走査方向Ｘにおける端部間の距離Ｄをおいて配設されたフレームＦ（ここでは一対の側板Ｆ１，Ｆ２）と、一対の側板Ｆ１，Ｆ２に設けられる一対のボス３１１，３１２とを有している。一対の側板Ｆ１，Ｆ２には、光路長Ｌを規定する貫通孔（ここでは円形状で位置決め基準穴４１１ａ，４１２ａと同径の孔）Ｆ１ａ，Ｆ２ａがそれぞれ設けられている。一対のボス３１１，３１２は、貫通孔Ｆ１ａ，Ｆ２ａ及び位置決め基準穴４１１ａ，４１２ａに挿通される挿通部（ここでは円柱状で貫通孔Ｆ１ａ，Ｆ２ａ及び位置決め基準穴４１１ａ，４１２ａと同径の挿通部）３１１ａ，３１２ａをそれぞれ有している。挿通部３１１ａ，３１２ａの先端は、円錐状に先細り形状となっている。なお、一対のボス３１１，３１２のうち、何れか一方のボス３１１は、挿通部３１１ａに連結される連結部材３１１ｂを有し、連結部材３１１ｂを介して固定部材（ここでは固定ビスＢ３，Ｂ３）によって一方の側板Ｆ１に取り付けられるようになっており、他方のボス３１２は、他方の側板Ｆ２に固着されている。
【０１３９】
図１２は、第１読取ユニット２１０を概略的に示す図である。図１２（ａ）は、第１読取ユニット２１０を前方斜め下から視た斜視図を示しており、図１２（ｂ）は、第１読取ユニット２１０を前方斜め上から視た斜視図を示しており、図１２（ｃ）は、第１カバー２１１に取り付けられてケーブル２２７ａを保持する保持ガイド部材２１２の側面図を示している。また、図１３は、第１読取ユニット２１０を概略的に示す断面図である。
【０１４０】
本実施の形態において、第１読取ユニット２１０は、スライドシャフト５４０（図３から図５参照）に摺動される摺動部として作用するシャフト摺動部５４１ａ，５４１ｂ（図１２（ａ）参照）をさらに備えている。ベースフレーム４１０は、シャフト摺動部５４１ａ，５４１ｂを取り付け可能とされている。
【０１４１】
具体的には、シャフト摺動部５４１ａ，５４１ｂは、第１読取ユニット２１０の副走査方向Ｙの両端部に設けられている。シャフト摺動部５４１ａ，５４１ｂには、軸線方向が副走査方向Ｙに沿った軸受け５４２ａ，５４２ｂが設けられている。そして、シャフト摺動部５４１ａ，５４１ｂは、軸受け５４２ａ，５４２ｂを介してスライドシャフト５４０を副走査方向Ｙに移動自在に挿通している。
【０１４２】
これにより、第１読取ユニット２１０を副走査方向Ｙに安定して往復移動させることができる。
【０１４３】
本実施の形態において、第１読取ユニット２１０は、光学ベルト５３５に固定される固定部として作用するベルト固定部２２７ｄ（図１２（ａ）参照）をさらに備えている。ベースフレーム４１０は、ベルト固定部２２７ｄを取り付け可能とされている。
【０１４４】
具体的には、ベルト固定部２２７ｄは、光学ベルト５３５を主走査方向Ｘの両側で挟持して固定するようになっており、ベースフレーム４１０の裏面２２７ｃに設けられている。
【０１４５】
本実施の形態において、シャフト摺動部５４１ａ，５４１ｂ及びベルト固定部２２７ｄは、一体形成された取り付けユニット２４０とされている。取り付けユニット２４０は、図示しない固定部材（ここでは固定ビス）によってベースフレーム４１０に取り付けられている。
【０１４６】
本実施の形態では、画像読取装置１００は、第１読取ユニット２１０を副走査方向Ｙに移動自在に支持するレール部材として作用するスライドレール５５０（図３から図５参照）をさらに備えている。
【０１４７】
スライドレール５５０は、ここでは、副走査方向Ｙに延びており、枠体２０２（具体的には底面２０２ａ）に支持されている。スライドレール５５０は、副走査方向Ｙに延びるスライド板と、その主走査方向Ｘの両端から枠体２０２の底面２０２ａに向けて延びる一対の側板とからなる断面視コの字型の部材とされている。
【０１４８】
そして、第１読取ユニット２１０は、第１読取ユニット２１０をスライドレール５５０の摺動面５５０ａを摺動する摺動部材として作用するスベリ部材５６０（図１２（ａ）参照）をさらに備えている。ベースフレーム４１０は、スベリ部材５６０を取り付け可能とされている。
【０１４９】
具体的には、スベリ部材５６０は、ベースフレーム４１０の裏面４１０ｂ（図１２（ａ）参照）に設けられており、スライドレール５５０の摺動面５５０ａに対して副走査方向Ｙに摺接しつつベースフレーム４１０を支持するようになっている。スベリ部材５６０は、スライドレール５５０の摺動面５５０ａと摺接する摺接部５６１と、摺接部５６１の摺接面５６１ａとは反対側に設けられた係合部５６２とを有している。係合部５６２は、先端部が弾性部材で形成された係止部を有しており、該係止部が弾性変形することでベースフレーム４１０の裏面４１０ｂに設けられた係止孔４１０ｃに嵌入されて取り付けられるようになっている。スベリ部材５６０の摺接部５６１は、スライドレール５５０の摺動面５５０ａに対して少なくとも摺接面５６１ａが摩擦係数の小さいかつ硬度の大きい材料で形成されることが好ましい。
【０１５０】
図１３に示すように、本実施の形態において、第１読取ユニット２１０は、原稿Ｇにおける片方の面側から光を照射する第１光源（ここではＬＥＤアレイ）２５１ａと、第１光源２５１ａからの光を原稿Ｇにおける片方の面側に反射させる第１反射部材（ここでは反射板）２５２ａと、第１光源２５１ａからの光を原稿Ｇにおける片方の面及び第１反射部材２５２ａに向けて導く第１導光部材２５３ａと、第１カバー２１１とをさらに備えている。ベースフレーム４１０は、第１光源２５１ａと、第１反射部材２５２ａと、第１導光部材２５３ａとが設けられた第１カバー２１１を取り付け可能とされている。
【０１５１】
具体的には、第１光源２５１ａは、光源基板２５４ａ上で主走査方向Ｘに列設された複数の発光素子（ここでは発光ダイオード（ＬＥＤ）素子）２５５ａ，…からなっている。各発光素子２５５ａ，…が光源基板２５４ａの配線パターンに接続され、光源基板２５４ａの配線パターンがハーネス（図示せず）を通じてベースフレーム４１０の裏面４１０ｂに搭載の第１光源駆動基板２５６ａ（図１２（ａ）も参照）に接続されている。第１光源駆動基板２５６ａは、第１光源２５１ａを駆動するものであり、ハーネス及び光源基板２５４ａの配線パターンを通じて各発光素子２５５ａ，…へと電力を供給し、各発光素子２５５ａ，…を点灯及び消灯制御する。
【０１５２】
なお、第１カバー２１１には、第１光源２５１ａ及び第１導光部材２５３ａと、第１反射部材２５２ａとの間において主走査方向Ｘに沿って延びるスリットＳＬが設けられている。スリットＳＬは、原稿Ｇからの反射光が通過するようになっている。
【０１５３】
第１導光部材２５３ａは、透光性を有するガラス又は合成樹脂からなり、副走査方向Ｙにおける原稿Ｇの読み取り位置を中心とする照明範囲と第１光源２５１ａと間と、第１反射部材２５２ａと第１光源２５１ａとの間とで光が出射されるようになっている。第１導光部材２５３ａは、光源基板２５４ａの第１光源２５１ａを覆っている。
【０１５４】
図１４は、第２読取ユニット２２０を概略的に示す図である。図１４（ａ）は、第２読取ユニット２２０を前方斜め上から視た斜視図を示しており、図１４（ｂ）は、第２読取ユニット２２０を前方斜め下から視た斜視図を示している。また、図１５は、第２読取ユニット２２０を概略的に示す断面図である。なお、図１５において、装置本体１００ａのフレームＦ（Ｆ３，Ｆ４）に設けられた第２光源２５１ｂ、第２反射部材２５２ｂ及び第２導光部材２５３ｂ等も示している。
【０１５５】
本実施の形態において、画像読取装置１００は、原稿Ｇにおける片方の面とは反対側から光を照射する第２光源（ここではＬＥＤアレイ）２５１ｂと、第２光源２５１ｂからの光を原稿Ｇにおける反対側の面側に反射させる第２反射部材（ここでは反射板）２５２ｂと、第２光源２５１ｂからの光を原稿Ｇにおける反対側の面及び第２反射部材２５２ｂに向けて導く第２導光部材２５３ｂとをさらに備えている。第２読取ユニット２２０は、第１カバー２１１を備えている。装置本体１００ａのフレームＦ（Ｆ３，Ｆ４）（図１５参照）には、第２光源２５１ｂと、第２反射部材２５２ｂと、第２導光部材２５３ｂとが設けられている。また、ベースフレーム４１０の裏面４１０ｂには、第２光源２５１ｂを駆動する第２光源駆動基板２５６ｂ（図１４（ａ）参照）が搭載されている。
【０１５６】
具体的には、第２光源２５１ｂは、光源基板２５４ｂ上で主走査方向Ｘに列設された複数の発光素子（ここでは発光ダイオード（ＬＥＤ）素子）２５５ｂ，…からなっている。各発光素子２５５ｂ，…が光源基板２５４ｂの配線パターンに接続され、光源基板２５４ｂの配線パターンがハーネス（図示せず）を通じてベースフレーム４１０の裏面４１０ｂに搭載の第２光源駆動基板２５６ｂ（図１４（ａ）参照）に接続されている。第２光源駆動基板２５６ｂは、第２光源２５１ｂを駆動するものであり、ハーネス及び光源基板２５４ｂの配線パターンを通じて各発光素子２５５ｂ，…へと電力を供給し、各発光素子２５５ｂ，…を点灯及び消灯制御する。
【０１５７】
ここでは、第１光源２５１ａ及び第２光源２５１ｂは、同一構成とされており、第１反射部材２５２ａ及び第２反射部材２５２ｂは、同一構成とされており、第１導光部材２５３ａ及び第２導光部材２５３ｂは、同一構成とされており、また、第１光源駆動基板２５６ａ及び第２光源駆動基板２５６ｂは、同一構成とされている。
【０１５８】
ところで、主走査方向Ｘの両端部が一対の側板Ｆ１，Ｆ２（図１１参照）に固定される第２読取ユニット２２０は、ベースフレーム４１０が主走査方向Ｘにおけるサイズと同じ間隔で設けられた一対の側板Ｆ１，Ｆ２の間に配置されるため、一対の側板Ｆ１，Ｆ２の間の間隔より長い、第２光源２５１ｂ、第２反射部材２５２ｂ及び第２導光部材２５３ｂを第２読取ユニット２２０の第２カバー２２１に設けることができない。このため、本実施の形態では、第２光源２５１ｂ、第２反射部材２５２ｂ及び第２導光部材２５３ｂを第２カバー２２１ではなく装置本体１００ａのフレームＦ（Ｆ３，Ｆ４）に設けている。
【０１５９】
詳しくは、図１５に示すように、第１支持フレームＦ３及び第２支持フレームＦ４は、第２読取ユニット２２０に設けられた第２カバー２２１の近傍に配設されている。第１支持フレームＦ３及び第２支持フレームＦ４は、副走査方向Ｙにおいて間隔をおいて配置されている。
【０１６０】
第２光源２５１ｂ及び第２導光部材２５３ｂは、第１支持フレームＦ３に支持されており、第２反射部材２５２ｂは、第２支持フレームＦ４に支持されている。
【０１６１】
なお、第２カバー２２１には、第２光源２５１ｂ及び第２導光部材２５３ｂと、第２反射部材２５２ｂとの間において主走査方向Ｘに沿って延びるスリットＳＬが設けられている。スリットＳＬは、原稿Ｇからの反射光が通過するようになっている。
【０１６２】
本実施の形態において、ベースフレーム４１０は、図１２（ａ）及び図１４（ａ）に示すように、第１光源駆動基板２５６ａと、第２光源駆動基板２５６ｂとを互いに異なる位置で取り付け可能とされている。第１光源駆動基板２５６ａ及び第２光源駆動基板２５６ｂは、図示しない固体部材（ここでは固定ビス）によってベースフレーム４１０の裏面４１０ｂにおける第１取り付け部４０１及び第２取り付け部４０２にそれぞれ取り付けられている。
【０１６３】
本実施の形態において、図１２（ａ）及び図１２（ｃ）に示すように、第１読取ユニット２１０は、ＣＣＤ基板２２７に接続されるケーブル（ここではフレキシブルフラットケーブル）２２７ａを案内して保持する保持ガイド部材２１２をさらに備えている。保持ガイド部材２１２は、第１カバー２１１に着脱可能に設けられている。ここでは、ケーブル２２７ａは、一端側がＣＣＤ基板２２７に接続され、他端側が制御基板１１０（図１４（ａ）参照）に接続されている。
【０１６４】
詳しくは、保持ガイド部材２１２は、ガイド本体２１２ａと、ガイド本体２１２ａに設けられ、かつ、第１カバー２１１に着脱可能とされた係合部２１２ｂとを有している。係合部２１２ｂは、ガイド本体２１２ａの主走査方向Ｘの両端部で読取高さ方向Ｚの第１カバー２１１側に立設した一対のものとされている。係合部２１２ｂ，２１２ｂの先端部には、内側に突出した係止部２１２ｃ，２１２ｃが設けられている。また、第１カバー２１１には係合部２１２ｂ，２１２ｂにおける係止部２１２ｃ，２１２ｃを係止する係止孔２１２ａ，２１２ａが設けられており、係止部２１２ｃ，２１２ｃがケーブル２２７ａをガイド本体２１２ａと第１カバー２１１の裏面との間に介在させた状態で係止孔２１２ａ，２１２ａに係入されるようになっている。
【０１６５】
本実施の形態において、第２読取ユニット２２０は、装置本体１００ａのフレームＦ（図３参照）に固定される本体固定部材として作用する本体固定板４３０（図１４（ａ）参照）をさらに備えている。ベースフレーム４１０は、本体固定板４３０を取り付け可能とされている。
【０１６６】
図１６は、本体固定板４３０によって第２読取ユニット２２０が画像読取装置１００の装置本体１００ａに取り付けられている状態を概略的に示す斜視図である。
【０１６７】
図１４及び図１６に示すように、本体固定板４３０一端側には、取り付け孔４３０ａ，４３０ａ及び係止孔４３０ｂ，４３０ｃが設けられている。ベースフレーム４１０の裏面４１０ｂには、取り付け孔４３０ａ，４３０ａに挿入された固定部材（ここでは固定ビスＢ４，Ｂ４）を固定する固定部（ここでは固定ビスの雌孔）と、係止孔４３０ｂ，４３０ｃを係止する突起部４１０ｄ，４１０ｅとが設けられている。本体固定板４３０の他端側には、取り付け部（ここでは取り付け溝４３０ｄ）が設けられている。また、画像読取装置１００の装置本体１００ａのフレームＦには、取り付け溝４３０ｄに挿入された固定部材（ここでは固定ビスＢ５）を固定する固定部（ここでは固定ビスの雌孔）が設けられている。
【０１６８】
そして、図１４に示すように、本体固定板４３０は、一端側で係止孔４３０ｂ，４３０ｃがベースフレーム４１０の裏面４１０ｂの突起部４１０ｄ，４１０ｅに挿通された状態で、取り付け孔４３０ａ，４３０ａに挿入された固定ビスＢ４，Ｂ４によってベースフレーム４１０の裏面４１０ｂに固定され、かつ、他端側で取り付け溝４３０ｄに挿入された固定ビスＢ５によって装置本体１００ａのフレームＦに固定される。また、本体固定板４３０の他端側の上方には、制御基板１１０一部が覆い被さっている。
【０１６９】
なお、本実施の形態に係る画像読取装置１００においては、光学系４２０として、縮小型光電変換素子、レンズ及びミラーを含む縮小光学系タイプのものを適用したが、ＣＩＳ（Contact Image Sensor）等の密着型光電変換素子及び等倍レンズを含む等倍光学系タイプのものを適用してもよい。
【０１７０】
以上説明した画像読取装置１００によれば、第１読取ユニット２１０及び第２読取ユニット２２０は、それぞれ、同一構成のベースユニット４００を備えているので、ベースユニット４００の共通部品化を実現でき、従って、ベースユニット４００を第１読取ユニット２１０と第２読取ユニット２２０とで個別に設計する必要がなく、これにより、開発期間の短縮化及び低コスト化を実現することができる。
【０１７１】
図１７は、第１読取ユニット２１０及び第２読取ユニット２２０において取り付け部材を対比した対比表である。
【０１７２】
図１７に示すように、第１及び第２駆動基板光源２５６ａ，２５６ｂ、レンズユニット２２８、ベースフレーム４１０、第１から第４ミラー２２２〜２２５、板バネ４１３ｂ〜４１６ｂ、ＣＣＤ基板２２７を共通部品として、ベースユニット４００を構成することができる。
【０１７３】
しかも、ベースフレーム４１０には、光学系４２０を調整するときにベースユニット４００を光学系調整用治具５００に取り付けて固定するための調整用基準固定部位４１１，４１２が設けられているので、第１読取ユニット２１０と第２読取ユニット２２０とで光学系調整用治具５００や光学系４２０を調整するための調整手順を共通にすることができ、従って、光学系４２０を第１読取ユニット２１０と第２読取ユニット２２０とで個別に調整する必要がなく、これにより、光学系４２０を効率よく調整することが可能となる。
【０１７４】
また、本実施の形態では、調整用基準固定部位４１１，４１２が装着用基準固定部位を兼ねていることで、次の利点がある。すなわち、第２読取ユニット２２０を装置本体１００ａのフレームＦに装着したときにベースユニット４００を取り付けて固定するための装着用基準固定部位が調整用基準固定部位４１１，４１２とは異なった位置に配置されていると、調整用基準固定部位４１１，４１２に対する装着用基準固定部位の位置精度を考慮する必要があり、それだけ原稿Ｇの読み取り精度が低下しやすい。この点、本実施の形態では、調整用基準固定部位４１１，４１２が装着用基準固定部位を兼ねているので、調整用基準固定部位４１１，４１２が装着用基準固定部位を兼ねたベースユニット４００によって原稿Ｇを精度よく読み取ることができる。
【０１７５】
また、本実施の形態では、レンズユニット２２８は、ベースフレーム４１０に対して原稿Ｇから結像レンズ２２６までの光路長Ｌを調整可能に設けられているので、光路長Ｌを第１読取ユニット２１０と第２読取ユニット２２０とで個別に調整する必要がなく、これにより、光路長Ｌを効率よく調整することが可能となる。
【０１７６】
ところで、シャフト摺動部５４１ａ，５４１ｂは、スライドシャフト５４０に摺動されるために、摺動回数が増えるに従って消耗する消耗部材とされている。また、スベリ部材５６０は、スライドレール５５０の摺動面５５０ａに摺動されるために、摺動回数が増えるに従って消耗する消耗部材とされている。この点、本実施の形態では、ベースフレーム４１０が消耗部材であるシャフト摺動部５４１ａ，５４１ｂを取り付け可能とされているので、シャフト摺動部５４１ａ，５４１ｂを容易に交換することができる。また、ベースフレーム４１０が消耗部材であるスベリ部材５６０を取り付け可能とされているので、スベリ部材５６０を容易に交換することができる。
【０１７７】
また、本実施の形態では、ベースフレーム４１０が光学ベルト５３５に固定されるベルト固定部２２７ｄを取り付け可能とされているので、ベルト固定部２２７ｄを容易に交換することができる。
【０１７８】
また、本実施の形態では、シャフト摺動部５４１ａ，５４１ｂ及びベルト固定部２２７ｄは、一体とされているので、シャフト摺動部５４１ａ，５４１ｂ及びベルト固定部２２７ｄを同時に着脱することができ、それだけシャフト摺動部５４１ａ，５４１ｂ及びベルト固定部２２７ｄの交換作業性を向上させることができる。
【０１７９】
また、本実施の形態では、第１光源２５１ａ及び第２光源２５１ｂと第１反射部材２５２ａ及び第２反射部材２５２ｂと第１導光部材２５３ａ及び第２導光部材２５３ｂとがそれぞれ同一構成とされているので、これら部材の共通部品化を実現でき、それだけ部材コストを低減させることができる。
【０１８０】
また、本実施の形態では、ベースフレーム４１０が取り付け可能とする第１カバー２１１に、第１光源２５１ａ、第１反射部材２５２ａ及び第１導光部材２５３ａが設けられているので、第１光源２５１ａ、第１反射部材２５２ａ及び第１導光部材２５３ａを組み付けやすくすることができ、これにより、第１光源２５１ａ、第１反射部材２５２ａ及び第１導光部材２５３ａの組立作業性の容易化を実現することができる。
【０１８１】
また、本実施の形態では、第２読取ユニット２２０のベースフレーム４１０の主走査方向Ｘにおけるサイズと同じ間隔で設けられた一対の側板Ｆ１，Ｆ２の間隔より長い第２光源２５１ｂ、第２反射部材２５２ｂ及び第２導光部材２５３ｂが装置本体１００ａのフレームＦに設けられているので、第２読取ユニット２２０を装置本体１００ａ（具体的には自動原稿送り装置３００）におけるコンパクト化が要求される空間に設けることができる。
【０１８２】
ところで、第１読取ユニット２１０において、第１光源駆動基板２５６ａがベースユニット４００における第２取り付け部４０２にあると、第１光源駆動基板２５６ａがＣＣＤ基板２２７のケーブル２２７ａの近傍（図１２（ａ）のα参照）に配置されるため、ケーブル２２７ａからのノイズの影響を受けやすく、誤作動を招く。また、第２読取ユニット２２０において、第２光源駆動基板２５６ｂがベースユニット４００における第１取り付け部４０１にあると、第２光源駆動基板２５６ｂがＣＣＤ基板２２７のケーブル２２７ａの近傍（図１４（ａ）のβ参照）に配置されるため、ケーブル２２７ａからのノイズの影響を受けやすく、誤作動を招く。この点、本実施の形態では、ベースフレーム４１０が第１光源駆動基板２５６ａと第２光源駆動基板２５６ｂとを互いに異なる位置で取り付け可能とされているので、第１読取ユニット２１０のＣＣＤ基板２２７に接続されるケーブル２２７ａ及び／又は第２読取ユニット２２０のＣＣＤ基板２２７に接続されるケーブル２２７ａに対してそれぞれノイズの影響を与える恐れのある第１光源駆動基板２５６ａ及び第２光源駆動基板２５６ｂをケーブル２２７ａ，２２７ａへのノイズの影響が無い或いは少ない位置に取り付けることができる。
【０１８３】
また、本実施の形態では、ベースフレーム４１０が取り付け可能とする第１カバー２１１に取り付けられる保持ガイド部材２１２が第１読取ユニット２１０のＣＣＤ基板２２７に接続されるケーブル２２７ａを案内して保持するので、ケーブル２２７ａを第１読取ユニット２１０に確実に保持することができる。特に、本実施の形態のように、第１読取ユニット２１０が副走査方向Ｙに往復移動する場合において、第１読取ユニット２１０のＣＣＤ基板２２７に接続されるケーブル２２７ａのユニット接続側を第１読取ユニット２１０に保持することで、第１読取ユニット２１０の移動に伴うケーブル２２７ａの振動を抑えることができる。
【０１８４】
また、本実施の形態では、ベースフレーム４１０が本体固定板４３０を取り付け可能とされているので、本体固定板４３０によりベースユニット４１０を装置本体１００ａのフレームＦに容易に固定することができる。
【０１８５】
また、本実施の形態では、原稿移動読取構成と原稿固定読取構成とを備えているので、同一構成のベースユニット４１０を用いて、原稿Ｇの両面又は片面の原稿画像を読み取ることができる。また、第１読取ユニット２１０と第２読取ユニット２２０とでベースユニット４００が同一構成とされているので、第１読取ユニット２１０のベースユニット４００と第２読取ユニット２２０のベースユニット４００とのうち、何れか一方のベースユニット４００が故障しても（例えば、原稿移動読取構成での原稿Ｇの読み取りが多いユーザーで第２読取ユニット２２０のベースユニット４００が故障したり、或いは、原稿固定読取構成での原稿Ｇの読み取りが多いユーザーで第１読取ユニット２１０のベースユニット４００が故障したりしても）、何れか一方の（故障した）ベースユニット４００に他方の（正常な）ベースユニット４００を応急的に交換することで、ユーザー環境に則した応急処置を行うことが可能となる。
【符号の説明】
【０１８６】
１００    画像読取装置
１００ａ  装置本体
２０５    ＣＣＤ（光電変換素子の一例）
２１０    第１読取ユニット
２１１    第１カバー
２１２    保持ガイド部材
２２０    第２読取ユニット
２２２    第１ミラー
２２３    第２ミラー
２２４    第３ミラー
２２５    第４ミラー
２２６    結像レンズ
２２７    ＣＣＤ基板
２２７ａ  ケーブル
２２７ｄ  ベルト固定部（固定部の一例）
２２８    レンズユニット
２５１ａ  第１光源
２５１ｂ  第２光源
２５２ａ  第１反射部材
２５２ｂ  第２反射部材
２５３ａ  第１導光部材
２５３ｂ  第２導光部材
２５６ａ  第１光源駆動基板
２５６ｂ  第２光源駆動基板
４００    ベースユニット（ベース部の一例）
４１０    ベースフレーム
４１１    調整用基準固定部位（装着用基準固定部位）
４１２    調整用基準固定部位（装着用基準固定部位）
４２０    光学系
４３０    本体固定板（本体固定部材の一例）
５００    光学系調整用治具
５３５    光学ベルト（可動部の一例）
５４０    スライドレール（支持部材の一例）
５４１ａ  シャフト摺動部（摺動部の一例）
５４１ｂ  シャフト摺動部（摺動部の一例）
５５０    スライドレール（レール部材の一例）
５５０ａ  摺動面
５６０    スベリ部材（摺動部材の一例）
５６１ａ  摺接面
Ｄ        画像形成装置
Ｆ        フレーム
Ｇ        原稿
Ｌ        光路長
【図１】
2011254213.tif 000003
【図２】
2011254213.tif 000004
【図３】
2011254213.tif 000005
【図４】
2011254213.tif 000006
【図５】
2011254213.tif 000007
【図６】
2011254213.tif 000008
【図７】
2011254213.tif 000009
【図８】
2011254213.tif 000010
【図９】
2011254213.tif 000011
【図１０】
2011254213.tif 000012
【図１１】
2011254213.tif 000013
【図１２】
2011254213.tif 000014
【図１３】
2011254213.tif 000015
【図１４】
2011254213.tif 000016
【図１５】
2011254213.tif 000017
【図１６】
2011254213.tif 000018
【図１７】
2011254213.tif 000019